(57)【要約】【課題】  自動試験異常を示す警報音の停止後も、何らかの形態で自動試験異常を継続的に確認できるようにすると共に、本体交換の忘れを防止できるようにする。【解決手段】  火災検知部で火災であることを検知すると火災警報を発報する火災警報器であって、火災検知部の自動試験を行って試験結果情報を出力する試験異常検出部２５と、この試験異常検出部２５から出力される試験結果信号Ｓ２５に基づいて警報音鳴動及び表示発光を制御するＣＰＵ２４と、このＣＰＵ２４に対して鳴動停止を入力するように操作される警報停止ボタン１９とを備え、ＣＰＵ２４は、火災検知部に異常があることを検出すると警報音鳴動及び表示発光の制御を開始し、警報音鳴動及び表示発光の制御開始後に警報停止ボタン１９から鳴動停止が入力されると、警報音鳴動の制御を中止し、かつ、表示発光の制御を継続するものである。【選択図】      図２
2007249287.tif 000002
【特許請求の範囲】
【請求項１】
火災検知部で火災であることを検知すると火災警報を発報する火災警報器であって、
前記火災検知部の自動試験を行って試験結果情報を出力する検出手段と、
前記検出手段から出力される試験結果情報に基づいて警報音鳴動及び表示発光を制御する制御手段と、
前記制御手段に対して鳴動停止を入力するように操作される操作手段とを備え、
前記制御手段は、
前記火災検知部に異常があることを検出すると前記警報音鳴動及び前記表示発光の制御を開始し、前記警報音鳴動及び前記表示発光の制御開始後に前記操作手段から鳴動停止が入力されると、前記警報音鳴動の制御を中止し、かつ、前記表示発光の制御を継続することを特徴とする火災警報器。
【請求項２】
火災検知部で火災であることを検知すると火災警報を発報する火災警報器であって、
前記火災検知部の自動試験を行って試験結果情報を出力する検出手段と、
前記検出手段から出力される試験結果情報に基づいて警報音鳴動及び表示発光を制御する制御手段と、
前記制御手段に対して鳴動停止を入力するように操作される操作手段とを備え、
前記制御手段は、
前記火災検知部に異常があることを検出すると前記警報音鳴動及び前記表示発光の制御を開始し、前記警報音鳴動及び前記表示発光の制御開始後に前記操作手段から鳴動停止が入力されると、前記警報音鳴動の制御を中止すると共に表示発光の制御を開始することを特徴とする火災警報器。
【請求項３】
前記制御手段は、
前記警報音鳴動の制御を中止したのちに所定時間が経過すると、前記警報音鳴動の制御を再開することを特徴とする請求項１、請求項２に記載の火災警報器。
【発明の詳細な説明】
【技術分野】
【０００１】
この発明は、火災検知に係る自動試験異常警報機能を搭載した火災警報器に関する。詳しくは、火災警報手段を自動試験して得られた試験結果情報に基づいて警報音鳴動及び表示発光を制御する制御手段を備え、鳴動停止が入力されると、警報音鳴動の制御を中止し、かつ、表示発光の制御を継続して、警報音の停止後も、表示発光により自動試験異常を継続的に確認できるようにすると共に、本体交換の忘れを防止できるようにしたものである。
【背景技術】
【０００２】
近年、自動試験機能付きの火災警報器が使用される場合が多くなってきた。火災警報器は、住宅や家庭内において、火災を監視することになる。このため、火災検出センサに異常が発生した場合に、即座に本体の交換をする必要がある。この種の火災警報器によれば、自動試験機能が実装され、火災検出センサやブザー等を自動的に試験して、これら異常を報知するような手段を設け、異常検出時には、本体交換を促すことにより、火災を正常に検知及び報知できるようになされている。因みに、本体交換を適切に促すためには、自動試験異常の報知手段を１瞬たりとも、停止させない方が効果的である。
【０００３】
このような火災警報器に関連して、特許文献１には電圧監視機能を有した火災警報器が開示されている。この火災警報器によれば、電圧監視回路、電圧低下警報回路、警報器駆動回路、警報器及び限時タイマを備え、電圧監視回路は、火災検出回路、火災判断回路等を駆動させるための電池電源の電圧を検出する。電圧低下警報回路は、電圧検出値が所定値以下となる場合に、警報信号を発生する。警報器駆動回路は、警報信号に基づいて警報器を間欠的に駆動する。限時タイマは、電圧低下警報が不要な時間（期間）が設定された場合に、その時間帯（期間）だけ警報器への電源供給を停止するようになされる。このように構成すると、電池電源の電圧低下を報知できると共に、電池電源の寿命が延びるというものである。
【０００４】
【特許文献１】特許公報第３４６５１７５号（第３頁  図１）
【発明の開示】
【発明が解決しようとする課題】
【０００５】
しかしながら、自動試験機能を備えた火災警報器によれば、次のような問題がある。
【０００６】
ｉ．自動試験異常警報が夜間の就寝した時点で発生した場合、夜間に直ぐに本体を交換しない（本体交換できない）と、警報音がうるさくて眠れないという事態を招いてしまう。
【０００７】
ii．特許文献１に見られるような火災警報器によれば、電池電源の電圧低下を報知できても、自動試験異常を警報する手段が設けられていない。また、仮に自動試験異常を警報する手段が設けられていて、上記ｉ項の問題を解決するために、限時タイマをその解決手段として代用したとしても、例えば、朝方になって、限時タイマが動作していてブザーが停止していたのでは、自動試験異常での本体交換を忘れてしまうおそれがある。
【０００８】
iii．また、火災警報器を複数設置した場合であって、自動試験異常警報を停止する手段を設けた場合であって、その手段により警報を停止した後に、本体交換をしようとしても、どの火災警報器が自動試験異常なのかが分からない。因みに、限時タイマによる自動再開まで自動試験異常の火災警報器が分からない状態に陥る。
【０００９】
そこで、本発明は、上述の課題に鑑み創作されたものであり、自動試験異常を示す警報音の停止後も、何らかの形態で自動試験異常を継続的に確認できるようにすると共に、本体交換の忘れを防止できるようにした火災警報器を提供することを目的とする。
【課題を解決するための手段】
【００１０】
本発明に係る第１の火災警報器は、火災検知部で火災であることを検知すると火災警報を発報する火災警報器であって、火災検知部の自動試験を行って試験結果情報を出力する検出手段と、この検出手段から出力される試験結果情報に基づいて警報音鳴動及び表示発光を制御する制御手段と、この制御手段に対して鳴動停止を入力するように操作される操作手段とを備え、制御手段は、火災検知部に異常があることを検出すると警報音鳴動及び表示発光の制御を開始し、警報音鳴動及び表示発光の制御開始後に操作手段から鳴動停止が入力されると、警報音鳴動の制御を中止し、かつ、表示発光の制御を継続することを特徴とするものである。
【００１１】
本発明に係る第１の火災警報器によれば、火災検知部で火災であることを検知すると火災警報を発報する機能を備え、検出手段は火災検知部の自動試験を行って試験結果情報を出力する。制御手段は、検出手段から出力される試験結果情報に基づいて警報音鳴動及び表示発光を制御する。これを前提として、例えば、制御手段は、火災検知部に異常があることを検出すると警報音鳴動及び表示発光の制御を開始し、警報音鳴動及び表示発光の制御開始後に操作手段から鳴動停止が入力されると、警報音鳴動の制御を中止し、かつ、表示発光の制御を継続するようになる。
【００１２】
従って、警報音の鳴動によりユーザが自動試験異常を確認した後は、操作手段を操作することで、警報音を停止できる。しかも、警報音の停止後も、表示発光により、自動試験異常を継続的に確認できるので、火災警報器本体の忘れを防止できるようになる。
【００１３】
本発明に係る第２の火災警報器は、火災検知部で火災であることを検知すると火災警報を発報する火災警報器であって、火災検知部の自動試験を行って試験結果情報を出力する検出手段と、検出手段から出力される試験結果情報に基づいて警報音鳴動及び表示発光を制御する制御手段と、制御手段に対して鳴動停止を入力するように操作される操作手段とを備え、制御手段は、火災検知部に異常があることを検出すると警報音鳴動及び表示発光の制御を開始し、警報音鳴動及び表示発光の制御開始後に操作手段から鳴動停止が入力されると、警報音鳴動の制御を中止すると共に表示発光の制御を開始することを特徴とするものである。
【００１４】
本発明に係る第２の火災警報器によれば、火災検知部で火災であることを検知すると火災警報を発報する機能を備え、検出手段は火災検知部の自動試験を行って試験結果情報を出力する。制御手段は、検出手段から出力される試験結果情報に基づいて警報音鳴動を制御する。これを前提として、例えば、制御手段は、火災検知部に異常があることを検出すると警報音鳴動及び表示発光の制御を開始し、警報音鳴動及び表示発光の制御開始後に操作手段から鳴動停止が入力されると、警報音鳴動の制御を中止すると共に、表示発光の制御を開始するようになる。
【００１５】
従って、警報音の鳴動によりユーザが自動試験異常を確認した後は、操作手段を操作することで、警報音を停止できる。しかも、警報音の停止後は、表示発光による異常を継続的に確認できるので、火災警報器本体の忘れを防止できるようになる。
【００１６】
本発明に係る第３の火災警報器は、第１及び第２の火災警報器において、警報音鳴動の制御を中止したのちに所定時間が経過すると、上述の制御手段が警報音鳴動の制御を再開することを特徴とするものである。
【００１７】
本発明に係る第３の火災警報器によれば、火災検知部に異常があること確実に報知することができ、本体交換対象の火災警報器を再現性良く識別できるようになる。
【発明の効果】
【００１８】
本発明に係る第１の火災警報器によれば、火災警報発報を制御する制御手段を備え、火災検知部に異常があることを検出すると警報音鳴動及び表示発光の制御を開始し、警報音鳴動及び表示発光の制御開始後に操作手段が操作されて鳴動停止が入力されると、警報音鳴動の制御を中止し、かつ、表示発光の制御を継続するようになされる。
【００１９】
この構成によって、警報音の鳴動により自動試験異常を確認した後は、操作手段を操作することで、警報音を停止できる。しかも、警報音の停止後も、表示発光により自動試験異常を継続的に確認できるので、火災警報器本体の交換忘れを防止できるようになる。また、火災警報器を複数設置した場合において、本体交換の対象となった火災警報器を再現性良く識別できるようになる。
【００２０】
本発明に係る第２の火災警報器によれば、火災警報発報を制御する制御手段を備え、火災検知部に異常があることを検出すると警報音鳴動及び表示発光の制御を開始し、警報音鳴動及び表示発光の制御開始後に操作手段が操作されて鳴動停止が入力されると、警報音鳴動の制御を中止すると共に表示発光の制御を開始するようになされる。
【００２１】
この構成によって、警報音の鳴動により自動試験異常を確認した後は、操作手段を操作することで、警報音を停止できる。しかも、警報音の停止後は、表示発光による異常を継続的に確認できるので、火災警報器本体の忘れを防止できるようになる。また、第１の火災警報器と同様にして本体交換対象の火災警報器を再現性良く識別できるようにもなる。
【００２２】
本発明の第３の火災警報器によれば、火災検知部に異常があることを検出したのち、操作手段から鳴動停止が入力されると、警報音が停止されて表示発光による異常報知が行われるが、その状態から所定時間を経過すると警報音鳴動が再開されるので、火災検知部に異常があること確実に報知することができ、本体交換対象の火災警報器を再現性良く識別できるようになる。
【発明を実施するための最良の形態】
【００２３】
以下、図面を参照しながら、この発明の実施の形態に係る火災警報器について説明をする。
【実施例１】
【００２４】
図１は、本発明に係る各実施例としての火災警報器の構成例を示す一部破断の斜視図である。
【００２５】
図１に示す火災警報器１００は、電池電源を利用し、熱や煙等を検知して火災警報を発生するものであり、火災検知に係る自動試験機能を有している。熱感知式の火災警報器１００は、所定形状の本体ケース１１を有している。本体ケース１１は、例えば、樹脂成型により形成され、同軸異径円柱状（帽子：ハット状）を成している。本体ケース１１内には、金属又は硬質樹脂製の不図示の取付基台が設けられる。取付基台は、火災検知が必要な部屋の天井面に取り付けられる。取付基台には本体ケース１１が覆い被さるように取り付けられる。本体ケース内部の底板１２には、プリント配線基板等の制御基板１３が取り付けられる。
【００２６】
制御基板１３には自動試験機能を有した火災警報手段の一例を構成する熱感知式の火災検知部１４や、ＩＣ装置１５、図示しないブザー１６、発光素子（以下ＬＥＤ１７という）等が取り付けられ、熱を検知して火災検知信号Ｓ１４を処理するようになされる。自動試験機能とは、火災検知部１４やブザー１７等を自動的に試験して、これらの異常を検出する機能をいう。異常検出時には、本体交換を促すようになされる。
【００２７】
例えば、ＩＣ装置１５は、火災検知部１４から火災検知信号Ｓ１４を入力して火災警報処理を実行する。火災検知部１４には熱を検知するサーミスタが使用される。煙感知式の火災警報器の場合、火災検知部１４には、煙を検知する光学素子（発光素子及び受光素子）が使用される。
【００２８】
これらの火災検知部１４や、ＩＣ装置１５、ブザー１６、ＬＥＤ１７等の負荷回路には図示しない電源線が接続される。電源線には電池１８が接続され、上述の負荷回路へ直流電源を供給するようになされる。電池１８にはアルカリ電池やリチウム電池等が使用される。なお、電源には電灯線（商用電源）を用いてもよい。
【００２９】
本体ケース１１の所定の部位には警報停止ボタン１９が取り付けられ、自動試験異常発報時に、ブザー１６の鳴動を止められるようになっている。警報停止ボタン１９は、例えば、手が届く本体ケース１１の外表面に配置される。警報停止ボタン１９には押しボタン用のスイッチ素子が使用される。警報停止ボタン１９には、下げ紐を利用したプルスイッチ機構のものを使用してもよい。
【００３０】
図２は、火災警報器１００等の制御系の構成例を示すブロック図である。図２に示す火災警報器１００は、火災検知部１４、ブザー１６、ＬＥＤ１７、電池１８、警報停止ボタン１９、制御手段２０、電圧検出部２１及び試験異常検出部２５を有して構成される。制御手段２０はＲＯＭ２２、ＲＡＭ２３及びＣＰＵ２４を有している。
【００３１】
火災検知部１４はＣＰＵ２４に接続され、熱や煙等を検知して火災検知信号Ｓ１４をＣＰＵ２４に出力する。火災検知部１４には例えばサーミスタが使用される。
【００３２】
警報停止ボタン１９は操作手段の一例を構成するものであり、警報停止ボタン１９にはスイッチ素子が使用される。この警報停止ボタン１９を構成するスイッチ素子はＣＰＵ２４に接続される。警報停止ボタン１９は、自動試験異常発報時に、ブザー１６の鳴動を止める際に操作される。この操作によって、鳴動停止信号Ｓ１９がＣＰＵ２４に出力される。警報停止ボタン１９は、ＣＰＵ２４が警報音鳴動の制御を実行しているとき、ユーザの自由意志によって、当該ＣＰＵ２４に対して鳴動停止を入力するように操作される。
【００３３】
電圧検出部２１はＣＰＵ２４に接続され、電池１８の出力電圧を検出して電圧検出情報（以下電圧検出信号Ｓ２１という）をＣＰＵ２４に出力する。ＣＰＵ２４は、電圧検出信号Ｓ２１に基づいて電池切れモードを実行する。試験異常検出部２５は検出手段の一例を構成するものであり、ＣＰＵ２４に接続される。試験異常検出部２５は、火災検知部１４の自動試験を行って試験結果情報Ｄ２５（以下試験異常検出信号Ｓ２５ともいう）をＣＰＵ２４に出力する。
【００３４】
ＣＰＵ２４は試験異常検出部２５から出力される試験異常検出信号Ｓ２５に基づいて自動試験異常を検出する。ＣＰＵ２４は、この検出結果に基づいて警報音鳴動及び表示発光の制御を実行する。例えば、ＣＰＵ２４は、警報停止ボタン１９が操作されて、鳴動停止信号Ｓ１９が入力されると、警報音鳴動の制御を中止し、かつ、表示発光の制御を継続する。
【００３５】
ＲＯＭ２２には自動試験異常を判別するプログラムや、自動試験異常モード実行中に、警報停止ボタン１９が操作されたとき、自動試験異常停止モードを実行するためのプログラムデータＤｐが格納されている。ＲＡＭ２３はワークメモリとして使用される。例えば、ＲＡＭ２３は、試験異常検出部２５から得られる試験異常検出情報Ｄ２５を一時記憶したり、設定された自動試験異常を判別する閾値情報Ｄthをセットする際に使用される。
【００３６】
ブザー１６は火災検知時や自動試験異常時等において、駆動電圧Ｖ１６に基づいて警報音を鳴動するものである。ブザー１６による警報音は、例えば７０ｄＢ程度である。ＬＥＤ１７は火災検知時や自動試験異常時等において、駆動電圧Ｖ１７に基づいて発光を表示するものである。発光色は例えば赤色である。
【００３７】
電池１８は、ＩＣ装置１５や、ブザー１６、ＬＥＤ１７等の負荷回路に直流電源を供給するものである。この例では、電池１８がセットされることで電源がオンされる。
【００３８】
ＣＰＵ２４は、試験異常検出信号Ｓ２５に基づいて自動試験異常を判別する。例えば、試験異常検出部２５から出力される試験異常検出信号Ｓ２５をアナログ・デジタル変換処理して試験異常検出情報Ｄ２５を得る。その後、ＣＰＵ２４は、試験異常検出情報Ｄ２５と、自動試験異常を判別する閾値情報Ｄthとを比較する。この結果、ＣＰＵ２４は、自動試験異常を検出すると、自動試験異常モードを実行する。自動試験異常モードとは、自動試験異常を検出した場合に、警報音の鳴動とＬＥＤ発光を制御する動作をいう。
【００３９】
ＣＰＵ２４は、自動試験異常モード実行中に、警報停止ボタン１９が操作されると、自動試験異常停止モードに移行するようになされる。自動試験異常停止モードとは、自動試験異常モード実行中に、警報停止ボタン１９が押された場合に、警報音の鳴動を停止する動作をいう。
【００４０】
図３はＡ及びＢは、第１の実施例としての自動試験異常モード時の報知例を示す動作タイムチャートである。図３Ａに示す警報は、自動試験異常モード時のブザー１６の動作例である。この例では、自動試験異常モード時、ブザー１６は０．１秒（図中ｓｅｃで示す）間だけ鳴動した後に、０．１秒間鳴動を停止する。この鳴動を３回繰り返すと、１分（ｍｉｎ）５９秒だけ停止する。これを繰り返すように動作する。
【００４１】
図３Ｂに示すＬＥＤは、自動試験異常モード時のＬＥＤ１７の動作例である。この例では、自動試験異常モード時、ＬＥＤ１７は０．１秒（図中ｓｅｃで示す）間だけ発光した後に、０．１秒間発光を停止する。この発光を３回繰り返すと、１分（ｍｉｎ）５９秒だけ停止する。これを繰り返すように動作する。
【００４２】
このように、自動試験異常モードでは、ブザー１６が０．１秒間×３回だけ鳴動すると同時にＬＥＤ１７が０．１秒間×３回だけ発光した後に、１分５９秒間鳴動を停止し、かつ、ＬＥＤ１７も１分５９秒間発光を停止するような鳴動及び表示を繰り返すようになされる。この例では、このような動作パターンを”Ａ”パターンと定義する。
【００４３】
図４はＡ及びＢは、その自動試験異常停止モード時の報知手段の動作タイムチャートである。図４Ａに示す警報は、自動試験異常停止モード時のブザー１６の動作例である。この例では、自動試験異常停止モード時、ブザー１６には駆動電圧Ｖ１６が印加されることなく鳴動を停止する。
【００４４】
図４Ｂに示すＬＥＤは、自動試験異常停止モード時のＬＥＤ１７の動作例である。この例では、自動試験異常停止モード時、ＬＥＤ１７は０．１秒（図中ｓｅｃで示す）間だけ発光した後に、０．１秒間発光を停止する。この発光を３回繰り返すと、１分５９秒だけ停止する。これを繰り返すように動作する。
【００４５】
第１の実施例に係る自動試験異常停止モードによれば、駆動電圧Ｖ１６がブザー１６に印加されることなく鳴動を停止している状態で、ＬＥＤ１７が０．１秒間×３回だけ発光した後に、１分５９秒間発光を停止する表示間欠動作を繰り返すようになされる。この例では、このような動作パターンを”Ｂ”パターンと定義する。
【００４６】
続いて、火災警報器１００の動作例について説明をする。図５は各実施例としての火災警報器１００等の動作例を示すフローチャートである。図６Ａ及びＢは、火災警報器１００における自動試験異常モード及び自動試験異常停止モード時の動作例を示すフローチャートである。
【００４７】
この例では、火災監視、電池切れ監視及び自動試験異常監視を周期的に繰り返す場合を前提とする。電源は、電池１８が図示しないホルダにセットされることでオンされる。
【００４８】
これらを動作条件にして、電池１８が図示しないホルダにセットされると共に、図５に示すフローチャートのステップＡ１で火災警報器１００は火災を監視する。火災検知部１４が火災を検知した場合は、ステップＡ２に移行してＣＰＵ２４は火災警報モードを実行する。火災警報モードでは、ブザー１６が０．５秒間だけ鳴動すると同時にＬＥＤ１７が０．５秒間だけ発光した後に、０．５秒間だけ鳴動及び発光を停止する。これを３回繰り返す。その後、１．５秒間鳴動を停止し、かつ、ＬＥＤ１７が１．５秒間発光を停止する。これを繰り返すように警報と表示がなされる。このとき、ブザー１６は、例えば、７０ｄＢ以上の警報音を発生する。
【００４９】
ステップＡ１で火災が検知されない場合は、定期的にステップＡ３に移行して電池切れ異常かを判別する。このとき、図示しない電圧検出部は電池１８の出力電圧を検出して電圧検出信号をＣＰＵ２４に出力する。ＣＰＵ２４は、電圧検出信号に基づいて電池切れを検出した場合は、ステップＡ４に移行して電池切れモードを実行する。
【００５０】
ステップＡ３で電池切れが検出されない場合は、定期的にステップＡ５に移行して自動試験異常か否かを判別する。自動試験異常を検出した場合に、ステップＡ６に移行して自動試験異常モードを実行する。
【００５１】
例えば、図６Ａに示すフローチャートのステップＢ１で”Ａ”パターンで報知を実行する。この”Ａ”パターンでは、ブザー１６が図３Ａに示したようにブザー１６が０．１秒間×３回だけ鳴動すると同時にＬＥＤ１７が０．１秒間×３回だけ発光した後に、１分５９秒間鳴動を停止し、かつ、ＬＥＤ１７も１分５９秒間発光を停止するような鳴動及び表示を繰り返すようになされる。
【００５２】
そして、ステップＢ２で停止ボタン１９が押下されたか否かを監視する。停止ボタン１９が押下されない場合は、ステップＢ１に戻って”Ａ”パターンの報知を繰り返すようになされる。停止ボタン１９が押下された場合は、ステップＢ３に移行して自動試験異常停止モードを実行する。
【００５３】
自動試験異常停止モードでは、図６Ｂに示すフローチャートのステップＣ１で”Ｂ”パターンで報知を実行する。この”Ｂ”パターンでは、図４Ａに示したように駆動電圧Ｖ１６がブザー１６に印加されることなく鳴動を停止している状態で、ＬＥＤ１７が０．１秒間×３回だけ発光した後に、１分５９秒間発光を停止する表示間欠動作（点滅動作）を繰り返すようになされる。そして、ステップＣ２で所定時間を経過するまで、”Ｂ”パターンによる表示間欠動作を繰り返した後に、ステップＡ６に戻る。
【００５４】
このように、第１の実施例としての火災警報器１００によれば、ＣＰＵ２４が試験異常検出信号Ｓ２５に基づいて自動試験異常を検出し、”Ａ”パターンで警報音鳴動及び表示発光の制御を実行しているとき、ユーザの自由意志でＣＰＵ２４に対して鳴動停止を入力するように警報停止ボタン１９が操作される。警報停止ボタン１９が押下されて鳴動停止がＣＰＵ２４に入力されると、”Ｂ”パターンによる制御を実行することで、警報音鳴動の制御を中止し、かつ、表示発光の制御を継続するようになる。
【００５５】
従って、”Ａ”パターンの警報音の鳴動によりユーザが自動試験異常を確認した後は、警報停止ボタン１９を操作することで、ブザー１６の鳴動を停止（警報音の停止）でき、停止後、ＣＰＵ２４は、”Ｂ”パターンでＬＥＤ１７による自動試験異常報知を実行する。このＬＥＤ１７の表示発光により、自動試験異常を継続的に報知できるので、当該火災警報器の異常交換の忘れを防止できるようになる。これにより、火災警報器１００を複数設置した場合において、本体交換対象となった火災警報器１００を再現性良く確認できるようになる。
【実施例２】
【００５６】
図７Ａ及びＢは、第２の実施例としての火災警報器１００’における自動試験異常モード時の報知例を示す動作タイムチャートである。 
この実施例では、第１の実施例と異なり、火災警報器１００’は、自動試験異常モード実行時のＬＥＤ１７の発光動作が省略され、自動試験異常停止モードが設定されると、ＣＰＵ２４は、警報鳴動を中止してＬＥＤ１７の間欠表示発光（点滅動作）を開始するようになされる。なお、火災警報器１００’の構成は、第１の実施例の火災警報器１００と同様であるのでその説明を省略する。
【００５７】
図７Ａに示す警報は、自動試験異常モード時のブザー１６の動作例である。この例では、自動試験異常モード時、ブザー１６は０．１秒（図中ｓｅｃで示す）間だけ鳴動した後に、０．１秒間鳴動を停止する。この鳴動を３回繰り返すと、１分（ｍｉｎ）５９秒だけ停止する。これを繰り返すように動作する。
【００５８】
図７Ｂに示すＬＥＤは、自動試験異常モード時のＬＥＤ１７の報知例を示す動作タイムチャートである。この例では、自動試験異常モード時、ＬＥＤ１７には駆動電圧Ｖ１７が印加されることなく表示発光を停止している。
【００５９】
第２の実施例に係る自動試験異常モードによれば、ブザー１６が０．１秒間×３回だけ鳴動した後に、１分５９秒間鳴動を停止する。このような間欠鳴動を繰り返すようになされる。しかし、ＬＥＤ１７は表示発光を停止している。この例では、このような動作パターンを”Ｃ”パターンと定義する。
【００６０】
図８Ａ及びＢは、その自動試験異常停止モード時の報知例を示す動作タイムチャートである。図８Ａに示す警報は、自動試験異常停止モード時のブザー１６の動作例である。この例では、自動試験異常停止モード時、ブザー１６には駆動電圧Ｖ１６が印加されることなく鳴動を停止する。
【００６１】
図８Ｂに示すＬＥＤは、自動試験異常停止モード時のＬＥＤ１７の動作例である。この例では、自動試験異常停止モード時、ＬＥＤ１７は０．１秒（図中ｓｅｃで示す）間×３回だけ発光した後に、１分５９秒間発光を停止する。これを繰り返すように動作する。
【００６２】
第２の実施例に係る自動試験異常停止モードによれば、駆動電圧Ｖ１６がブザー１６に印加されることなく鳴動を停止している状態で、ＬＥＤ１７が０．１秒間×３回だけ発光した後に、１分５９秒間発光を停止する表示間欠動作（点滅動作）を繰り返すようになされる。この例では、このような動作パターンを”Ｄ”パターンと定義する。
【００６３】
続いて、第２の実施例としての火災警報器１００’の動作例について説明をする。図９Ａ及びＢは、火災警報器１００’における自動試験異常モード及び自動試験異常停止モード時の動作例を示すフローチャートである。
【００６４】
この例でも、第１の実施例と同様にして、図５に示したフローチャートのステップＡ１で火災監視をし、ステップＡ３で電池切れ監視をし、及び、ステップＡ５で自動試験異常監視を周期的に繰り返す場合を前提とする。自動試験異常は、試験異常検出信号Ｓ２５に基づいてＣＰＵ２４が判別する。
【００６５】
これらを動作条件にして、電池１８が図示しないホルダにセットされると共に、図５に示したフローチャートのステップＡ１で火災警報器１００は火災を監視し、ステップＡ３で電池切れかを判別する。その処理内容については、図５で説明しているので、その説明を省略する。
【００６６】
ステップＡ３で電池切れが検出されない場合は、第１の実施例と同様にして定期的にステップＡ５に移行して自動試験異常かを判別する。第２の実施例でも、自動試験異常を検出した場合は、ステップＡ６に移行して自動試験異常モードを実行する。
【００６７】
例えば、図９Ａに示すフローチャートのステップＤ１に移行して”Ｃ”パターンで報知を実行する。この”Ｃ”パターンでは、ブザー１６が図７Ａに示したように０．１秒（図中ｓｅｃで示す）間だけ鳴動した後に、０．１秒間鳴動を停止する。この鳴動を３回繰り返すと、１分５９秒だけ停止する。これを繰り返すように動作する。第２の実施例で自動試験異常モード時のＬＥＤ１７は発光しない。
【００６８】
そして、ステップＤ２で停止ボタン１９が押下されたか否かを監視する。停止ボタン１９が押下されない場合は、ステップＤ１に戻って”Ｃ”パターンの報知を繰り返すようになされる。停止ボタン１９が押下された場合は、ステップＤ３に移行して自動試験異常停止モードを実行する。
【００６９】
自動試験異常停止モードでは、図９Ｂに示すフローチャートのステップＥ１で”Ｄ”パターンで報知を実行する。この”Ｄ”パターンでは、図８Ａに示したように駆動電圧Ｖ１６がブザー１６に印加されることなく鳴動を停止する。図８Ｂに示したＬＥＤは０．１秒（図中ｓｅｃで示す）間×３回だけ発光した後に、１分５９秒間発光を停止する。これを繰り返すように動作する。そして、ステップＥ２で所定時間を経過するまで、”Ｄ”パターンによる表示間欠動作を繰り返した後に、ステップＡ６に戻る。
【００７０】
このように、第２の実施例としての火災警報器１００’によれば、ＣＰＵ２４が試験異常検出信号Ｓ２５に基づいて自動試験異常を検出し、”Ｃ”パターンで警報音鳴動及び表示発光の制御を実行しているとき、ユーザの自由意志でＣＰＵ２４に対して鳴動停止を入力するように警報停止ボタン１９が操作される。警報停止ボタン１９が押下されて鳴動停止がＣＰＵ２４に入力されると、”Ｄ”パターンによる制御を実行することで、警報音鳴動の制御を中止し、かつ、間欠表示発光の制御を開始するようになる。
【００７１】
従って、”Ｃ”パターンの警報音の鳴動によりユーザが自動試験異常を確認した後は、警報停止ボタン１９を操作することで、ブザー１６の鳴動を停止（警報音の停止）でき、停止後、ＣＰＵ２４は、”Ｄ”パターンでＬＥＤ１７による自動試験異常報知を実行する。このＬＥＤ１７の間欠表示発光により、第１の実施例と同様にして自動試験異常を継続的に報知できるので、自動試験異常と判別された本体の交換忘れを防止できるようになる。これにより、火災警報器１００’を複数設置した場合においても、本体交換対象となった火災警報器１００’を再現性良く確認できるようになる。
【００７２】
第１の実施例に係る火災警報器１００及び第２の実施例に係る火災警報器１００’において、停止ボタン１９が押下されたのち、所定時間が経過すると、警報音鳴動の制御を再開するようにしてもよい（第３の火災警報器）。これにより、再び、警報音鳴動による警報動作、乃至は警報音鳴動と表示間欠動作との両方による警報動作が行われるようになり、火災警報器１００、１００’として致命的な状態にある火災検知部１４の異常状態を、より確実に操作者に伝える（報知する）ことができるようになる。
【００７３】
なお、所定時間としては、６〜１２時間程度とすることが好ましい。これは、火災警報器１００、１００’が住居などの一般住宅に設置されていて夜間に停止ボタン１９が押下された場合に、翌朝、警報音鳴動の動作が再開されることになり、警報音鳴動が就寝の妨げになることを防ぐことができると共に、翌朝、火災検知部１４の異常状態を、より確実に操作者に伝えることができるようになるからである。
【産業上の利用可能性】
【００７４】
本発明は、自動試験異常警報機能を実装した火災警報器に適用して極めて好適である。
【図面の簡単な説明】
【００７５】
【図１】本発明に係る各実施例としての火災警報器１００，１００’の構成例を示す斜視図である。
【図２】火災警報器１００等の制御系の構成例を示すブロック図である。
【図３】（Ａ）及び（Ｂ）は、第１の実施例としての自動試験異常モード時の報知例を示す動作タイムチャートである。
【図４】（Ａ）及び（Ｂ）は、その自動試験異常停止モード時の報知例を示す動作タイムチャートである。
【図５】各実施例としての火災警報器１００等の動作例を示すフローチャートである。
【図６】（Ａ）及び（Ｂ）は、火災警報器１００における自動試験異常モード及び自動試験異常停止モード時の動作例を示すフローチャートである。
【図７】（Ａ）及び（Ｂ）は、第２の実施例としての火災警報器１００’における自動試験異常モード時の報知例を示す動作タイムチャートである。
【図８】（Ａ）及び（Ｂ）は、その自動試験異常停止モード時の報知例を示す動作タイムチャートである。
【図９】（Ａ）及び（Ｂ）は、火災警報器１００’における自動試験異常モード及び自動試験異常停止モード時の動作例を示すフローチャートである。
【符号の説明】
【００７６】
１１・・・本体ケース、１２・・・底板、１３・・・制御基板、１４・・・火災検知部、１５・・・ＩＣ装置、１６・・・ブザー、１７・・・ＬＥＤ、１８・・・電池、１９・・・警報停止ボタン、２０・・・制御手段、２１・・・電圧検出部、２５・・・試験異常検出部、２２・・・ＲＯＭ、２３・・・ＲＡＭ、２４・・・ＣＰＵ、１００，１００’・・・火災警報器
【図１】
2007249287.tif 000003
【図２】
2007249287.tif 000004
【図３】
2007249287.tif 000005
【図４】
2007249287.tif 000006
【図５】
2007249287.tif 000007
【図６】
2007249287.tif 000008
【図７】
2007249287.tif 000009
【図８】
2007249287.tif 000010
【図９】
2007249287.tif 000011
【手続補正書】
【提出日】平成19年6月6日(2007.6.6)
【手続補正１】
【補正対象書類名】特許請求の範囲
【補正対象項目名】請求項２
【補正方法】変更
【補正の内容】
【請求項２】
火災検知部で火災であることを検知すると火災警報を発報する火災警報器であって、
前記火災検知部の自動試験を行って試験結果情報を出力する検出手段と、
前記検出手段から出力される試験結果情報に基づいて警報音鳴動及び表示発光を制御する制御手段と、
前記制御手段に対して鳴動停止を入力するように操作される操作手段とを備え、
前記制御手段は、
前記火災検知部に異常があることを検出すると前記警報音鳴動の制御を開始し、前記警報音鳴動の制御開始後に前記操作手段から鳴動停止が入力されると、前記警報音鳴動の制御を中止すると共に前記表示発光の制御を開始することを特徴とする火災警報器。
【手続補正２】
【補正対象書類名】明細書
【補正対象項目名】０００２
【補正方法】変更
【補正の内容】
【０００２】
近年、自動試験機能付きの火災警報器が使用される場合が多くなってきた。火災警報器は、住宅や家庭内において、火災を監視することになる。このため、火災検出センサに異常が発生した場合に、即座に本体の交換をする必要がある。この種の火災警報器によれば、自動試験機能が実装され、火災検出センサやブザー等を自動的に試験して、これら異常を報知するような手段を設け、異常検出時には、本体交換を促すことにより、火災を正常に検知及び報知できるようになされている。因みに、本体交換を適切に促すためには、自動試験異常の報知手段を一瞬たりとも、停止させない方が効果的である。
【手続補正３】
【補正対象書類名】明細書
【補正対象項目名】００１２
【補正方法】変更
【補正の内容】
【００１２】
従って、警報音の鳴動によりユーザが自動試験異常を確認した後は、操作手段を操作することで、警報音を停止できる。しかも、警報音の停止後も、表示発光により、自動試験異常を継続的に確認できるので、火災警報器本体の交換忘れを防止できるようになる。
【手続補正４】
【補正対象書類名】明細書
【補正対象項目名】００１３
【補正方法】変更
【補正の内容】
【００１３】
本発明に係る第２の火災警報器は、火災検知部で火災であることを検知すると火災警報を発報する火災警報器であって、火災検知部の自動試験を行って試験結果情報を出力する検出手段と、検出手段から出力される試験結果情報に基づいて警報音鳴動及び表示発光を制御する制御手段と、制御手段に対して鳴動停止を入力するように操作される操作手段とを備え、制御手段は、火災検知部に異常があることを検出すると警報音鳴動の制御を開始し、警報音鳴動の制御開始後に操作手段から鳴動停止が入力されると、警報音鳴動の制御を中止すると共に表示発光の制御を開始することを特徴とするものである。
【手続補正５】
【補正対象書類名】明細書
【補正対象項目名】００１４
【補正方法】変更
【補正の内容】
【００１４】
本発明に係る第２の火災警報器によれば、火災検知部で火災であることを検知すると火災警報を発報する機能を備え、検出手段は火災検知部の自動試験を行って試験結果情報を出力する。制御手段は、検出手段から出力される試験結果情報に基づいて警報音鳴動を制御する。これを前提として、例えば、制御手段は、火災検知部に異常があることを検出すると警報音鳴動の制御を開始し、警報音鳴動の制御開始後に操作手段から鳴動停止が入力されると、警報音鳴動の制御を中止すると共に、表示発光の制御を開始するようになる。
【手続補正６】
【補正対象書類名】明細書
【補正対象項目名】００１５
【補正方法】変更
【補正の内容】
【００１５】
従って、警報音の鳴動によりユーザが自動試験異常を確認した後は、操作手段を操作することで、警報音を停止できる。しかも、警報音の停止後は、表示発光による異常を継続的に確認できるので、火災警報器本体の交換忘れを防止できるようになる。
【手続補正７】
【補正対象書類名】明細書
【補正対象項目名】００１７
【補正方法】変更
【補正の内容】
【００１７】
本発明に係る第３の火災警報器によれば、火災検知部に異常があることを確実に報知することができ、本体交換対象の火災警報器を再現性良く識別できるようになる。
【手続補正８】
【補正対象書類名】明細書
【補正対象項目名】００２０
【補正方法】変更
【補正の内容】
【００２０】
本発明に係る第２の火災警報器によれば、火災警報発報を制御する制御手段を備え、火災検知部に異常があることを検出すると警報音鳴動の制御を開始し、警報音鳴動の制御開始後に操作手段が操作されて鳴動停止が入力されると、警報音鳴動の制御を中止すると共に表示発光の制御を開始するようになされる。
【手続補正９】
【補正対象書類名】明細書
【補正対象項目名】００２１
【補正方法】変更
【補正の内容】
【００２１】
この構成によって、警報音の鳴動により自動試験異常を確認した後は、操作手段を操作することで、警報音を停止できる。しかも、警報音の停止後は、表示発光による異常を継続的に確認できるので、火災警報器本体の交換忘れを防止できるようになる。また、第１の火災警報器と同様にして本体交換対象の火災警報器を再現性良く識別できるようにもなる。
【手続補正１０】
【補正対象書類名】明細書
【補正対象項目名】００２６
【補正方法】変更
【補正の内容】
【００２６】
制御基板１３には自動試験機能を有した火災警報手段の一例を構成する熱感知式の火災検知部１４や、ＩＣ装置１５、ブザー１６、発光素子（以下ＬＥＤ１７という）等が取り付けられ、熱を検知して火災検知信号Ｓ１４を処理するようになされる。自動試験機能とは、火災検知部１４やブザー１６等を自動的に試験して、これらの異常を検出する機能をいう。異常検出時には、本体交換を促すようになされる。
【手続補正１１】
【補正対象書類名】明細書
【補正対象項目名】００６５
【補正方法】変更
【補正の内容】
【００６５】
これらを動作条件にして、電池１８が図示しないホルダにセットされると共に、図５に示したフローチャートのステップＡ１で火災警報器１００’は火災を監視し、ステップＡ３で電池切れかを判別する。その処理内容については、図５で説明しているので、その説明を省略する。
【手続補正１２】
【補正対象書類名】明細書
【補正対象項目名】００７０
【補正方法】変更
【補正の内容】
【００７０】
このように、第２の実施例としての火災警報器１００’によれば、ＣＰＵ２４が試験異常検出信号Ｓ２５に基づいて自動試験異常を検出し、”Ｃ”パターンで警報音鳴動の制御を実行しているとき、ユーザの自由意志でＣＰＵ２４に対して鳴動停止を入力するように警報停止ボタン１９が操作される。警報停止ボタン１９が押下されて鳴動停止がＣＰＵ２４に入力されると、”Ｄ”パターンによる制御を実行することで、警報音鳴動の制御を中止し、かつ、間欠表示発光の制御を開始するようになる。